(57)【要約】      （修正有）【課題】磁気テープをテープリールに巻装する際に、巻き取られる磁気テープに同伴するエアを抜けやすくすることで巻姿の乱れを防止することができるテープ巻き取り方法及びテープ巻き取り装置を提供する。【解決手段】磁気テープＴを保持するテープリール１と、前記テープリール１で前記磁気テープＴを巻き取る際に、磁気テープＴの幅方向に対する一方の端部にエアを吹き付ける為のエア供給部１１を設け、巻き取られる磁気テープＴの幅方向に対する一方の端部にエアを吹き付けることにより巻き姿の乱れを防止する。【選択図】図１
2005228434.tif 000002
【特許請求の範囲】
【請求項１】
磁気テープをテープリールに巻き取る際に、前記磁気テープの幅方向に対する一方の端部にエアを吹き付けることを特徴とするテープ巻き取り方法。
【請求項２】
磁気テープを巻回して保持するテープリールと、
前記テープリールで前記磁気テープを巻き取る際に、該磁気テープの幅方向に対する一方の端部にエアを吹き付けるためのエア供給部とを備えていることを特徴とするテープ巻き取り装置。
【発明の詳細な説明】
【技術分野】
【０００１】
本発明は、磁気テープをテープリールに巻装する際に同伴するエアの巻き込みを抑制することができるテープ巻き取り方法及びテープ巻き取り装置に関する。
【背景技術】
【０００２】
磁気テープカセットの製造プロセスにおいて、磁気テープは、テープ巻き取り装置（ワインダー）によってテープリールに巻き取る巻き取り工程が施される（例えば、特許文献１参照）。
【０００３】
図４は、従来の巻き取り工程を説明する図である。図４に示すようにテープリール１０１は、磁気テープが巻き取られる円筒状のハブ１０５と、ハブ１０５の両側で磁気テープの幅より僅かに広い間隔で対向するフランジ１０２とから構成されている。磁気テープ１０３の巻き取り工程においては、磁気テープ１０３はテープ張力、走行速度及び幅方向方位置をそれぞれ制御されて所定速度でテープリール１０１に巻き取られる。
【０００４】
巻き取り工程において、巻き取られる磁気テープの両面近傍のエアが該磁気テープ１０３に同伴することで、巻き取られた磁気テープ同士の間に介在した状態となることがある。すると、巻き込まれたエアに起因して磁気テープ１０３の幅方向の位置が、２つのフランジ１０２の間でずれてしまい、巻き取られた磁気テープ１０３の巻姿が乱れてしまうことがあった。
そこで、従来、磁気テープ１０３の巻姿を整えるために、テープリール１０１の一方のフランジ１０２に沿わせるように所定の厚さを有するテープ状の化粧ティッシュ１０４を走行又は固定し、２つのフランジ１０２同士の間隔を狭くして磁気テープ１０３の幅方向位置を規制することが行われていた。
【０００５】
【特許文献１】特開２００２−７４８９２号公報
【発明の開示】
【発明が解決しようとする課題】
【０００６】
従来の巻き取り方法では、化粧ティッシュ１０４によって磁気テープ１０３の幅方向位置はある程度整えることができるが、磁気テープと同伴するエアによって巻き取られる磁気テープのずれが生じることを解決するものではなかった。また、磁気テープ１０３がエアによって幅方向にずれないように磁気テープ１０３の端部に化粧ティッシュ１０４を押し当てると、磁気テープ１０３の端部を傷めることも懸念される。
【０００７】
さらに、テープ巻き取り装置に化粧ティッシュ１０４を走行又は固定するための機構が必要となり、テープ巻き取り装置が複雑化するとともに、テープ巻き取り装置の製造コストが増加することが避けられなかった。
本発明は、このような事情に鑑みてなされたもので、その目的は、巻き取られる磁気テープに同伴するエアを抜けやすくすることで巻姿の乱れを防止することができるテープ巻き取り方法及びテープ巻き取り装置を提供することにある。
【課題を解決するための手段】
【０００８】
本発明の上記目的は、磁気テープをテープリールに巻き取る際に、磁気テープの幅方向に対する一方の端部にエアを吹き付けることを特徴とするテープ巻き取り方法によって達成される。
【０００９】
磁気テープの幅方向の一端にエアを吹き付けると、エアを吹き付けられた側の磁気テープの一端にエアが入り込み同伴するエアの量が、該磁気テープの他端で同伴するエアの量より多くなる。磁気テープには、テープリールの内周側に先に巻き付けられた磁気テープとの間に介在するエアの抵抗を受けながら巻き付けられる。このため、磁気テープは、幅方向における同伴するエアの量の差によって、くさび効果が生じて圧力の小さい方の幅方向端部へ向う力を受けて移動し、エアを吹き付けられた側とは反対側の端部がテープリールのフランジに当接する。このため、磁気テープは、圧力の小さい方の幅方向端部がフランジによって位置決めされつつ、他方の端部より先に内側に巻き付けられた磁気テープの表面に巻装され、同伴するエアがこの他方の端部から抜け出るようになる。こうして、本発明にかかるテープ巻き取り方法は、磁気テープの幅方向における端部に積極的にエアを同伴させることで、幅方向位置のずれを小さくし、巻姿の乱れを防止することができる。
【００１０】
また、本発明の上記目的は、磁気テープを巻回して保持するテープリールと、テープリールで磁気テープを巻き取る際に、該磁気テープの幅方向に対する一方の端部にエアを吹き付けるためのエア供給部とを備えていることを特徴とするテープ巻き取り装置によって達成される。
【００１１】
磁気テープの幅方向の一端にエアを吹き付けることで、くさび効果によって磁気テープの幅方向位置のずれを小さくし、巻姿の乱れを防止することができるとともに、従来のテープ巻き取り装置に化粧ティッシュを走行又は固定する機構が不要となり、テープ巻き取り装置を簡単にすることで、テープ巻き取り装置の製造コストを削減することができる。
【発明の効果】
【００１２】
本発明によれば、同伴エアを抜けやすくすることで巻姿の乱れを防止することができるテープ巻き取り方法及びテープ巻き取り装置を提供できる。
【発明を実施するための最良の形態】
【００１３】
以下、本発明の実施形態を図面に基づいて詳しく説明する。
図１は、本発明にかかる磁気テープの巻き取り方法を説明する図である。図２は、磁気テープが巻き取られる状態を説明する図である。
図１に示すように、磁気テープＴを巻き取るテープリール１は、円筒状のハブ４と、ハブ４の両端部にそれぞれ設けられたフランジ２，３とを備えている。フランジ２，３は、互いの間隔が磁気テープＴの幅方向寸法より僅かに大きくなるように設けられている。磁気テープＴやテープリール１は、公知のものを使用することができる。
【００１４】
磁気テープＴを巻き取るためにテープリール１を回転駆動させる機構としては、ハブ４の一方の端部に図示しないギア部を設け、駆動側の巻き取り軸の端部に設けられたギアと係合させて、巻き取り軸を駆動させることで、テープリール１が周方向に回転する構成である。
【００１５】
図１及び図２に示すように、本実施形態において、搬送される磁気テープＴの幅方向における一方の端部の下方（図１において下側）にエア供給部として機能するエアブローノズル１１が備えられている。エアブローノズル１１は、エアを噴射するエア噴射口１２が設けられ、このエア噴射口１２が噴射するエアを磁気テープＴの幅方向に対する一方の端部（図２において磁気テープＴの下方側端部）付近に噴き付けられるように位置決めされている。具体的に、エア噴射口１２から噴射されたエアが噴き付けられる部位は、磁気テープＴの幅方向に対する一端からフランジ３の側面３ａとの間である。このとき、噴き付けたエアが巻き取られる磁気テープＴの一方の端部の内側面に入り込むようにエアブローノズル１１を調節する。
【００１６】
エアブローノズル１１を設ける位置は、図２のように搬送される磁気テープＴの幅方向における一方の端部の下方に限らない。噴き付けたエアが巻き取られる磁気テープＴの幅方向における一方の端部の内側面に入り込むことができれば他の位置に設けてもよい。また、エアブローノズル１１のエア噴射口１２は、磁気テープＴとフランジ３との隙間をより狙いやすくするため、スリット形状としてもよい。
【００１７】
また、本実施形態において、磁気テープの巻き取り速度を６メートル／秒から３０メートル／秒とし、磁気テープの幅寸法を３．８ミリメートルから２５．４ミリメートルとし、エア噴射口１２から噴射されるエアの流量を１０リットル／分から３０リットル／分とし、エア噴射口１２の口径を０．５ミリメートルから３．０ミリメートルとし、エア噴射口１２と巻き付けられた磁気テープＴの外周側の面との距離を３センチメートルから１０センチメートルとしている。
【００１８】
図２に示すように、磁気テープＴの幅方向の一端にエアを吹き付けると、エアを吹き付けられた側の磁気テープＴの一端にエアが入り込むことで同伴するエアの量が、該磁気テープの他端に同伴するエアの量より多くなる。
磁気テープＴはテープリール１の内周側に先に巻き付けられた磁気テープＴとの間に介在するエアの抵抗を受けながら巻き付けられる。すると、エアブローノズル１１からのエアの噴射によって幅方向におけるエアの量の差が生じることで、くさび効果によって圧力の小さい方の幅方向端部へ向う力を受けて移動し、エアを吹き付けられた側とは反対側の端部がテープリール１のフランジ２に当接する。このため、磁気テープは、圧力の小さい方の幅方向端部がフランジによって位置決めされつつ、他方の端部より先に内側に巻き付けられた磁気テープの表面に巻装され、同伴するエアがこの他方の端部から抜け出るようになる。こうして、本発明にかかるテープ巻き取り方法は、磁気テープＴの幅方向における端部に積極的にエアを同伴させることで、幅方向位置のずれを小さくし、巻姿の乱れを防止することができる。
【００１９】
次に、本発明にかかるテープ巻き取り装置の構成を説明する。
図３は、テープ巻き取り装置の一実施形態を示す構成図である。
図３に示すようにテープ巻き取り装置１０は、磁気テープＴを供給するため巻装させて保持するテープ供給体（パンケーキ）Ｐと、テープ供給体Ｐから供給された磁気テープＴを図中矢印で示す搬送方向に沿って案内するガイドローラ１５と、磁気テープＴの張力を調整するテンション制御部１６と、テープリールへ搬送する磁気テープの幅方向位置を調整するガイド部材１７とから概略構成されている。また、テープ巻き取り装置１０には、磁気テープＴの巻き取り時にテープリール１を回転駆動する、図示しない駆動機構が設けられている。
【００２０】
また、テープ巻き取り装置１０は、ガイド部材１７とテープリール１との間に、該テープリール１の幅方向における一端にエアを噴き付けるエアブローノズル１１と、エアブローノズルにエアを送り込むエアポンプ１８とが設けられている。エアブローノズル１１は、図１及び図２に示すように、噴き付けたエアが巻き取られる磁気テープＴの一方の端部の内側面に入り込むように設けられている。
【００２１】
このようなテープ巻き取り装置１０は、図２に示すように磁気テープＴの幅方向の一端にエアを吹き付けることで、くさび効果によって磁気テープＴの幅方向位置のずれを小さくし、巻姿の乱れを防止することができる。また、従来のテープ巻き取り装置に備えられた化粧ティッシュを走行又は固定する機構が不要となり、テープ巻き取り装置１０の構成を簡単にすることで、テープ巻き取り装置１０の製造コストを削減することができる。テープ巻き取り装置１０を使用することで、本発明にかかるテープ巻き取り方法を好適に実施することができる。
【図面の簡単な説明】
【００２２】
【図１】本発明にかかるテープ巻き取り方法を説明する図である。
【図２】磁気テープが巻き取られる状態を説明する図である。
【図３】本発明にかかるテープ巻き取り装置を説明する図である。
【図４】従来のテープ巻き取り方法を説明する図である。
【符号の説明】
【００２３】
１    テープリール
２，３    フランジ
１０    テープ巻き取り装置
１１    エアブローノズル
【図１】
2005228434.tif 000003
【図２】
2005228434.tif 000004
【図３】
2005228434.tif 000005
【図４】
2005228434.tif 000006